(57)【特許請求の範囲】
【請求項１】
ＰＣグラウトを、緊張材が挿入されたシースへと供給する、ＰＣグラウトの供給装置であって、
前記ＰＣグラウトを供給する配管路と、その配管路の所定の計測部において、その配管路を流れる前記ＰＣグラウトの密度を連続して計測する計測器と、前記計測部よりも前記配管路の下流側に設けられて、前記ＰＣグラウトの送り先を前記シースへの注入側と廃棄側とに切り替える切替手段とを備え、
前記切替手段は、前記計測器によって計測されたＰＣグラウトの密度の値、または、その密度の値に対応する水セメント比の値が、前記ＰＣグラウトの規定値の範囲内にあるときには前記シースへの注入側へ、前記規定値の範囲から外れたときには廃棄側へと、自動的に切り替わる、ＰＣグラウトの供給装置。
【請求項２】
前記供給装置は、注入用ホッパーと、廃棄用貯留部とを備え、また、
前記配管路は、上流側から下流側に向かって順に一次配管路と二次配管路とを備え、
前記計測部は、前記一次配管路の途中に位置し、
前記切替手段は、前記一次配管路の下流側の端部に設けられ、前記注入用ホッパーは、前記二次配管路の上流側の端部に接続されて、前記切替手段により、前記ＰＣグラウトが、前記注入用ホッパー側と前記廃棄用貯留部側とに、その送り先が切り替えられて投入される、請求項１に記載のＰＣグラウトの供給装置。
【請求項３】
前記切替手段は、前記ＰＣグラウトの送り先を前記シースへの注入側と廃棄側とに切り替える切替バルブからなる、請求項１または２に記載のＰＣグラウトの供給装置。
【請求項４】
前記供給装置は、前記計測器によって計測されたＰＣグラウトの密度の値、または、その密度の値に対応する水セメント比の値が、前記ＰＣグラウトの規定値を外れたときに警告する警告手段を備える、請求項１ないし３のいずれか１項に記載のＰＣグラウトの供給装置。
【発明の詳細な説明】
【技術分野】
【０００１】
この発明は、ＰＣグラウトを、緊張材が挿入されたシースへと供給する、ＰＣグラウトの供給装置に関するものである。
【背景技術】
【０００２】
従来、ＰＣグラウトの製造からシースへの充填にあたっては、図２に示すＰＣグラウトプラントによって行っていた。すなわち、グラウトミキサー２１によって練り混ぜられたＰＣグラウトは、ホッパー２２に投入され、グラウトポンプ２３と流量計２４とが設けられた配管路２５を通って、シースへと供給された。そして、このＰＣグラウトの品質については、グラウトミキサー２１で練り混ぜられたＰＣグラウトに対し、単位容積質量（密度）を、一定の頻度で抜き取り検査（例えば、非特許文献１参照）することで対処していた。
【先行技術文献】
【非特許文献】
【０００３】
【非特許文献１】「ＰＣグラウト＆プレグラウトＰＣ鋼材  施工マニュアル」（２０１３改定版），一般社団法人プレストレスト・コンクリート建設業協会，平成２５年８月，ｐ．５８−６５
【発明の概要】
【発明が解決しようとする課題】
【０００４】
ところで、前記従来のＰＣグラウトの検査は、抜き取り検査であることから、ＰＣグラウトの全量を確認することはできず、シースに対し本来の性状とは異なるＰＣグラウトを充填してしまう虞があった。
【０００５】
この発明は、上記した従来の欠点を解決するためになされたものであり、その目的とするところは、シースに対し、確実に規定内のＰＣグラウトを充填することができる、ＰＣグラウトの供給装置を提供することにある。
【課題を解決するための手段】
【０００６】
この発明に係るＰＣグラウトの供給装置は、前記目的を達成するために、次の構成からなる。すなわち、
請求項１に記載の発明に係るＰＣグラウトの供給装置は、ＰＣグラウトを、緊張材が挿入されたシースへと供給する、供給装置である。この供給装置は、前記ＰＣグラウトを供給する配管路と、その配管路の所定の計測部において、その配管路を流れる前記ＰＣグラウトの密度を連続して計測する計測器と、前記計測部よりも前記配管路の下流側に設けられて、前記ＰＣグラウトの送り先を前記シースへの注入側と廃棄側とに切り替える切替手段とを備える。ここで、前記切替手段は、前記計測器によって計測されたＰＣグラウトの密度の値、または、その密度の値に対応する水セメント比の値が、前記ＰＣグラウトの規定値の範囲内にあるときには前記シースへの注入側へ、前記規定値の範囲から外れたときには廃棄側へと、自動的に切り替わる。
【０００７】
このＰＣグラウトの供給装置によると、計測器が、配管路の所定の計測部においてその配管路を流れるＰＣグラウトの密度を連続して計測する。そして、計測部よりも下流側には、ＰＣグラウトの送り先をシースへの注入側と廃棄側とに切り替える切替手段が設けられている。このため、この切替手段によって、計測器で計測したＰＣグラウトの密度の値そのものとか、その密度に対応する水セメント比の値とかが、ＰＣグラウトの規定値の範囲内にあるときには、ＰＣグラウトの送り先を、シースへの注入側に切り替え、規定値の範囲から外れたときには、廃棄側へと切り替えることができる。
【０００８】
また、請求項２に記載の発明に係るＰＣグラウトの供給装置は、請求項１に記載の供給装置において、前記供給装置は、注入用ホッパーと、廃棄用貯留部とを備える。そして、前記配管路は、上流側から下流側に向かって順に一次配管路と二次配管路とを備える。そこで、前記計測部は、前記一次配管路の途中に位置する。そして、前記切替手段は、前記一次配管路の下流側の端部に設けられ、前記注入用ホッパーは、前記二次配管路の上流側の端部に接続されて、前記切替手段により、前記ＰＣグラウトが、前記注入用ホッパー側と前記廃棄用貯留部側とに、その送り先が切り替えられて投入される。
【０００９】
また、請求項３に記載の発明に係るＰＣグラウトの供給装置は、請求項１または２に記載の供給装置において、前記切替手段は、前記ＰＣグラウトの送り先を前記シースへの注入側と廃棄側とに切り替える切替バルブからなる。
【００１０】
また、請求項４に記載の発明に係るＰＣグラウトの供給装置は、請求項１ないし３のいずれか１項に記載の供給装置において、前記供給装置は、前記計測器によって計測されたＰＣグラウトの密度の値、または、その密度の値に対応する水セメント比の値が、前記ＰＣグラウトの規定値を外れたときに警告する警告手段を備える。
【００１１】
【発明の効果】
【００１２】
この発明に係るＰＣグラウトの供給装置によれば、ＰＣグラウトの密度を連続して計測する計測器と切替手段により、規定値の範囲から外れたＰＣグラウトを的確に廃棄することができ、これによって、シースに対し、確実に規定内のＰＣグラウトを充填することができる。
【図面の簡単な説明】
【００１３】
【図１】この発明の一実施の形態の、ＰＣグラウトの供給装置を示す模式図である。
【図２】従来のＰＣグラウトプラントを示す模式図である。
【発明を実施するための形態】
【００１４】
以下、この発明に係るＰＣグラウトの供給装置を実施するための形態を図面に基づいて説明する。
【００１５】
図１は、本発明の一実施の形態を示す。図中符号１は、ＰＣグラウトの供給装置を示す。
【００１６】
この供給装置１は、ＰＣグラウトを、緊張材が挿入されたシース（図示せず）へと供給する装置であって、ＰＣグラウトを供給する配管路２と、計測器３と、切替手段４とを備える。ここで、計測器３は、前記配管路２の所定の計測部２ａにおいて、その配管路２を流れるＰＣグラウトの密度を連続して計測するものである。そして、切替手段４は、前記計測部２ａよりも配管路２の下流側に設けられて、ＰＣグラウトの送り先をシースへの注入側と廃棄側とに切り替えるものである。
【００１７】
詳細には、供給装置１は、注入用ホッパー５と、廃棄用貯留部６とを備える。そして、配管路２は、上流側から下流側に向かって順に一次配管路２０１と二次配管路２０２とを備える。そこで、計測部２ａは、一次配管路２０１の途中に位置する。切替手段４は、一次配管路２０１の下流側の端部に設けられる。そして、注入用ホッパー５は、二次配管路２０２の上流側の端部に接続されて、切替手段４により、ＰＣグラウトが、注入用ホッパー５側と廃棄用貯留部６側とに、その送り先が切り替えられて投入される。
【００１８】
具体的には、一次配管路２０１の上流側の端部には、一次ホッパー７が接続される。そして、供給装置１は、グラウトミキサー８を備え、そのグラウトミキサー８で練り混ぜられたＰＣグラウトが、一次ホッパー７に投入される。そして、一次配管路２０１は、一次ホッパー７の下流に、グラウトポンプ９が設けられ、その下流に、計測部２ａがあり、さらに、その下流に、切替手段４が設けられる。
【００１９】
計測器３は、線源（セシウム１３７）から放出されるγ線と管内を流れる流体の相互作用を利用してその流体の密度（単位容積質量）を非接触で計測する機器であって、その計測器を利用することで、流体としてのＰＣグラウトの密度を計測することができる。そして、この計測器３としては、例えば、ソイルアンドロックエンジニアリング株式会社製の配管用密度計を用いることができる。
【００２０】
ここで、供給装置１は、計測器３からの信号を処理する処理装置１０を備える。この処理装置１０は、パソコン（パーソナルコンピューター）等からなり、計測器３で計測したＰＣグラウトの密度を、数値やグラフで示したり、その密度の値から演算等により導き出された水セメント比の値を、数値やグラフで示したり、また、後述する警告手段１４を構成したりする。ここにおいて、ＰＣグラウトの密度から、対応する水セメント比を導き出すには、事前の実験による種々の配合の試料におけるＰＣグラウトの密度の計測データを用いたり、便宜的に以下に示す推定水セメント比（Ｗ／Ｃ）を用いたりすることができる。
Ｗ／Ｃ＝（１−Ｍ／ρC）／（Ｍ−１）
ただし、Ｍ：ＰＣグラウトの密度〔ｇ／ｃｍ3〕
ρC：使用セメントの密度〔ｇ／ｃｍ3〕
【００２１】
切替手段４は、図示実施の形態においては、一次配管路２０１の下流側の端部に設けられた可動ホース１１からなり、その可動ホース１１の先端を、注入用ホッパー５あるいは廃棄用貯留部６に向けることで、ＰＣグラウトを、注入用ホッパー５側と廃棄用貯留部６側とに、その送り先を切り替えて投入することができる。
【００２２】
二次配管路２０２は、上流側の端部に設けられた注入用ホッパー５の下流に、注入用グラウトポンプ１２が設けられ、さらに、その下流に、流量計１３が設けられて、ＰＣグラウトホースへと続き、そのＰＣグラウトホースからシースへ、ＰＣグラウトが注入される。
【００２３】
また、供給装置１は、警告手段１４を備えている。この警告手段１４は、計測器３によって計測されたＰＣグラウトの密度の値、または、その密度に対応する水セメント比の値が、ＰＣグラウトの規定値を外れたときに警告するものである。詳細には、警告手段１４は、前記処理装置１０と警告灯１５とからなり、処理装置１０からの信号を受けて警告灯１５が点灯する。より詳細には、ＰＣグラウトの密度とか水セメント比の値が、推奨範囲にあるときには、緑色灯が点灯し、その推奨範囲を外れるが使用可能範囲にあるときには、黄色灯が点灯し、使用可能範囲を外れたときには、赤色灯が点灯する。すなわち、前記規定値は、推奨範囲を示す値であり、また、使用可能範囲を示す値である。もっとも、規定値として、推奨範囲と使用可能範囲とのいずれか一方のみを用いることで、その規定値の範囲にあるときには、緑色灯が点灯し、その規定値を外れたときには、赤色灯が点灯するようにしてもよい。また、これらの場合において、緑色灯を設けることなく、黄色灯と赤色灯、あるいは、赤色灯のみを設けるものであってもよい。
【００２４】
次に、以上の構成からなるＰＣグラウトの供給装置１の作用効果について説明する。この供給装置１によると、計測器３が、配管路２の所定の計測部２ａにおいてその配管路２を流れるＰＣグラウトの密度を連続して計測する。そして、計測部２ａよりも下流側には、ＰＣグラウトの送り先をシースへの注入側と廃棄側とに切り替える切替手段４が設けられている。このため、この切替手段４によって、計測器３で計測したＰＣグラウトの密度の値そのものとか、その密度に対応する水セメント比の値とかが、ＰＣグラウトの規定値の範囲内にあるときには、ＰＣグラウトの送り先を、シースへの注入側に切り替え、規定値の範囲から外れたときには、廃棄側へと切り替えることができる。すなわち、この供給装置１によれば、ＰＣグラウトの密度を連続して計測する計測器３と切替手段４により、規定値の範囲から外れたＰＣグラウトを的確に廃棄することができ、これによって、シースに対し、確実に規定内のＰＣグラウトを充填することができる。
【００２５】
なお、本発明は、上述した実施の形態に限定されるわけではなく、その他種々の変更が可能である。例えば、切替手段４は、可動ホース１１からなっていなくとも、ＰＣグラウトの送り先をシースへの注入側と廃棄側とに切り替える切替バルブからなっていてもよい。すなわち、一次配管路２０１の下流側の端部を分岐させ、その一方を注入用ホッパー５に向け、他方を廃棄用貯留部６に向けるとともに、その分岐部分に切替バルブを設けてもよい。そして、この場合には、注入用ホッパー５を設けることなく、切替バルブから分岐した注入側の配管を直接二次配管路２０２に繋げてもよい。
【００２６】
また、切替手段４は、計測器３によって計測されたＰＣグラウトの密度の値、または、その密度の値に対応する水セメント比の値が、ＰＣグラウトの規定値の範囲内にあるときにはシースへの注入側へ、規定値の範囲から外れたときには廃棄側へと、手動で切り替えるものであっても、自動的に切り替わるものであってもよい。
【００２７】
また、警告手段１４は、処理装置１０と警告灯１５とからなるが、警告灯１５に替えて、あるいは警告灯１５に加えて、警告音を発する警報器等を用いてもよい。
【符号の説明】
【００２８】
１  供給装置
２  配管路
２ａ  計測部
２０１  一次配管路
２０２  二次配管路
３  計測器
４  切替手段
５  注入用ホッパー
６  廃棄用貯留部
１４  警告手段
【図１】
0006259389.tif 000002
【図２】
0006259389.tif 000003